【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
複数の焦点検出エリアのうち第１焦点検出エリアで焦点状態を検出するとき第１絞り値の範囲で焦点状態を検出し、第２焦点検出エリアで焦点状態を検出するときは前記第１絞り値の範囲とは異なる第２絞り値の範囲で焦点状態を検出する制御部を備えることを特徴とする焦点調節装置。
【請求項２】
請求項１に記載された焦点調節装置であって、
前記第１絞り値の範囲と、前記第２絞り値の範囲とは、一部が重複していることを特徴とする焦点調節装置。
【請求項３】
請求項１または２に記載の焦点調節装置であって、
前記第１絞り値の範囲は、前記第２絞り値の範囲よりも狭いことを特徴とする焦点調節装置。
【請求項４】
請求項１〜３のいずれかに記載の焦点調節装置であって、
前記第１焦点検出エリアまたは前記第２焦点検出エリアで焦点状態を検出するときの絞り値の範囲は、前記第１焦点検出エリアまたは前記第２焦点検出エリアの位置に基づいて設定されることを特徴とする焦点調節装置。
【請求項５】
請求項１〜４のいずれかに記載の焦点調節装置であって、
前記第２焦点検出エリアは、前記第１焦点検出エリアよりも撮影画面の中心に近いことを特徴とする焦点調節装置。
【請求項６】
請求項１〜５のいずれかに記載の焦点調節装置であって、
前記制御部は、
前記第１焦点検出エリアで焦点状態を検出するとき、絞り値が前記第２絞り値よりも小さくなる範囲で焦点状態を検出し、
前記第２焦点検出エリアで焦点状態を検出するとき、絞り値が前記第２絞り値よりも大きい第３絞り値よりも小さくなる範囲で焦点状態を検出することを特徴とする焦点調節装置。
【請求項７】
請求項１〜５のいずれかに記載の焦点調節装置であって、
前記制御部は、
前記第１焦点検出エリアで焦点状態を検出するとき、前記第１絞り値から前記第１絞り値よりも大きい前記第２絞り値までの範囲で焦点状態を検出し、
前記第２焦点検出エリアで焦点状態を検出するとき、前記第１絞り値から、前記第２絞り値よりも大きい第３絞り値までの範囲で焦点状態を検出することを特徴とする焦点調節装置。
【請求項８】
請求項７に記載の焦点調節装置であって、
前記第２絞り値または前記第３絞り値は、前記第１焦点検出エリアまたは前記第２焦点検出エリアの位置に基づいて設定されることを特徴とする焦点調節装置。
【請求項９】
請求項７または８に記載の焦点調節装置であって、
レンズ鏡筒から前記第１絞り値を受信する受信部を有することを特徴とする焦点調節装置。
【請求項１０】
複数の焦点検出エリアのうち第１焦点検出エリアで焦点状態を検出するとき、第１絞り値から前記第１絞り値よりも大きい第２絞り値の範囲で焦点状態を検出し、第２焦点検出エリアで焦点状態を検出するとき、前記第１絞り値から前記第２絞り値よりも大きい第３絞り値の範囲で焦点状態を検出することができる制御部を備え、
前記制御部は、
画像を撮影する際の撮影絞り値が前記第３絞り値よりも大きい場合、前記第１焦点検出エリアで焦点状態を検出するとき前記第１絞り値から前記第２絞り値の範囲で焦点状態を検出し、前記第２焦点検出エリアで焦点状態を検出するとき前記第１絞り値から前記第３絞り値の範囲で焦点状態を検出し、
前記撮影絞り値が前記第１絞り値よりも小さい場合、前記第１焦点検出エリアで焦点状態を検出するとき、または、前記第２焦点検出エリアで焦点状態を検出するときに絞り値を前記撮影絞り値にすることを特徴とする焦点調節装置。
【請求項１１】
複数の焦点検出エリアのうち第１焦点検出エリアで焦点状態を検出するとき、第１絞り値から前記第１絞り値よりも大きい第２絞り値の範囲で焦点状態を検出し、第２焦点検出エリアで焦点状態を検出するとき、前記第１絞り値から前記第２絞り値よりも大きい第３絞り値の範囲で焦点状態を検出することができる制御部を備え、
前記制御部は、画像を撮影する際の撮影絞り値が前記第１絞り値と前記第２絞り値との間の値である場合には、焦点検出を行う際における光学系の絞り値を、前記第１絞り値と前記撮影絞り値との間の範囲内にすることを特徴とする焦点調節装置。
【請求項１２】
請求項１〜１１のいずれかに記載の焦点調節装置を有することを特徴とする撮像装置。
【請求項１３】
請求項１２に記載の撮像装置であって、
複数の焦点検出用画素を有する撮像部を含むことを特徴とする撮像装置。
【請求項１４】
請求項１３に記載の撮像装置であって、
前記撮像部は、複数の撮像用画素を有することを特徴とする撮像装置。
【請求項１５】
請求項１３または１４に記載の撮像装置であって、
前記撮像部から出力された信号に基づいて位相差検出方式の焦点検出、または、コントラスト検出方式の焦点検出を行うことが可能である焦点検出部を有することを特徴とする撮像装置。
【請求項１６】
光学系による像を撮像し、撮像した像に対応する画像信号を出力する撮像部と、
前記画像信号に基づいて、前記光学系の像面内に設定された複数の焦点検出位置における前記光学系の焦点状態を検出する焦点検出部と、
前記焦点検出部により焦点検出を行う際における、焦点検出位置に対応した前記光学系の絞り値の絞り込み側の制限値を、絞り込み側制限値として算出する算出部と、
前記焦点検出部により焦点検出を行う際に、焦点検出を行う前記焦点検出位置に対応した前記絞り込み側制限値に基づいて、前記光学系の絞り値を設定する制御部と、を備えることを特徴とする撮像装置。
【請求項１７】
光学系による像を撮像し、撮像した像に対応する画像信号を出力する撮像部と、
前記画像信号に基づいて、前記光学系の焦点状態を検出する焦点検出部と、
前記焦点検出部により焦点検出を行う際における、前記光学系の射出瞳の位置に対応した前記光学系の絞り値の絞り込み側の制限値を、絞り込み側制限値として算出する算出部と、
前記焦点検出部により焦点検出を行う際に、前記光学系の射出瞳の位置に対応した前記絞り込み側制限値に基づいて、前記光学系の絞り値を設定する制御部と、を備えることを特徴とする撮像装置。
【請求項１８】
請求項１６に記載の撮像装置であって、
前記算出部は、前記焦点検出部により焦点検出を行う際における、前記焦点検出位置および前記光学系の射出瞳の位置に対応した前記光学系の絞り値の絞り込み側の制限値を、絞り込み側制限値として算出し、
前記制御部は、前記焦点検出部により焦点検出を行う際に、焦点検出を行う前記焦点検出位置および前記光学系の射出瞳の位置に対応した前記絞り込み側制限値に基づいて、前記光学系の絞り値を設定することを特徴とする撮像装置。
【請求項１９】
請求項１６〜１８のいずれかに記載の撮像装置であって、
前記制御部は、前記焦点検出部により焦点検出を行う際に、前記光学系の絞り値を、前記絞り込み側制限値と同じ値、または、前記絞り込み側制限値よりも開放側の値に設定することを特徴とする撮像装置。
【請求項２０】
請求項１６〜１９のいずれかに記載の撮像装置であって、
前記制御部は、前記焦点検出部により焦点検出を行う際における、前記光学系の絞り値を、画像を撮影する際の撮影絞り値または前記撮影絞り値よりも開放側の値に設定することを特徴とする撮像装置。
【請求項２１】
請求項１６〜２０のいずれかに記載の撮像装置であって、
前記制御部は、前記焦点検出部により焦点検出を行う際における、前記光学系の絞り値を、前記光学系の開放絞り値よりも、絞り込み側の値に設定することを特徴とする撮像装置。
【請求項２２】
請求項１６〜２１のいずれかに記載の撮像装置であって、
前記制御部は、画像を撮影する際の撮影絞り値が、前記絞り込み側制限値よりも絞り込み側の値である場合には、前記焦点検出部により焦点検出を行う際における、前記光学系の絞り値を、前記絞り込み側制限値に設定することを特徴とする撮像装置。
【請求項２３】
請求項１６〜２２のいずれかに記載の撮像装置であって、
前記撮像部は、二次元状に配列された複数の撮像用画素と、前記撮像用画素に混在して一次元または二次元状に配列された複数の焦点検出用画素とを有し、
前記焦点検出部は、前記焦点検出用画素から出力された前記画像信号に基づいて、前記光学系による像面のずれ量を検出することで、前記光学系の焦点状態を検出する位相差検出方式の焦点検出、および、前記撮像用画素により出力された前記画像信号に基づいて、前記光学系による像のコントラストに関する評価値を算出し、算出した前記評価値に基づいて、前記光学系の焦点状態を検出するコントラスト検出方式の焦点検出のうち、少なくともいずれか一方の方式で焦点検出を行うことが可能であることを特徴とする撮像装置。
【請求項２４】
請求項１６〜２３のいずれかに記載の撮像装置であって、
前記焦点検出部により焦点検出を行う際における前記光学系の絞り値の開放側の制限値である開放側制限値を、レンズ鏡筒から取得する取得部をさらに備え、
前記制御部は、前記焦点検出部により焦点検出を行う際に、前記光学系の絞り値を、前記開放側制限値と、前記絞り込み側制限値との範囲内で設定することを特徴とする撮像装置。
【請求項２５】
請求項２４に記載の撮像装置であって、
前記制御部は、画像を撮影する際の撮影絞り値が、前記開放側制限値よりも開放側の値である場合には、前記焦点検出部により焦点検出を行う際における、前記光学系の絞り値を、前記撮影絞り値に設定することを特徴とする撮像装置。
【請求項２６】
請求項２４または２５に記載の撮像装置であって、
前記制御部は、画像を撮影する際の撮影絞り値が、前記絞り込み側制限値よりも絞り込み側の値である場合には、前記焦点検出部により焦点検出を行う際における、前記光学系の絞り値を、前記開放側制限値と前記絞り込み側制限値との範囲内において設定し、前記撮影絞り値が、前記絞り込み側制限値と同じ値または前記絞り込み側制限値よりも開放側の値である場合には、前記焦点検出部により焦点検出を行う際における、前記光学系の絞り値を、前記開放側制限値と前記撮影絞り値との範囲内において設定することを特徴とする撮像装置。
【手続補正２】
【補正対象書類名】明細書
【補正対象項目名】０００７
【補正方法】変更
【補正の内容】
【０００７】
［１］本発明の第１の観点に係る焦点調節装置は、複数の焦点検出エリアのうち第１焦点検出エリアで焦点状態を検出するとき第１絞り値の範囲で焦点状態を検出し、第２焦点検出エリアで焦点状態を検出するときは前記第１絞り値の範囲とは異なる第２絞り値の範囲で焦点状態を検出する制御部を備えることを特徴とする。
［２］上記焦点調節装置に係る発明において、前記第１絞り値の範囲と、前記第２絞り値の範囲とは、一部が重複しているように構成することができる。
［３］上記焦点調節装置に係る発明において、前記第１絞り値の範囲は、前記第２絞り値の範囲よりも狭いように構成することができる。
［４］上記焦点調節装置に係る発明において、前記第１焦点検出エリアまたは前記第２焦点検出エリアで焦点状態を検出するときの絞り値の範囲は、前記第１焦点検出エリアまたは前記第２焦点検出エリアの位置に基づいて設定されるように構成することができる。
［５］上記焦点調節装置に係る発明において、前記第２焦点検出エリアは、前記第１焦点検出エリアよりも撮影画面の中心に近いように構成することができる。
［６］上記焦点調節装置に係る発明において、前記制御部は、前記第１焦点検出エリアで焦点状態を検出するとき、絞り値が前記第２絞り値よりも小さくなる範囲で焦点状態を検出し、前記第２焦点検出エリアで焦点状態を検出するとき、絞り値が前記第２絞り値よりも大きい第３絞り値よりも小さくなる範囲で焦点状態を検出するように構成することができる。
［７］上記焦点調節装置に係る発明において、前記制御部は、前記第１焦点検出エリアで焦点状態を検出するとき、前記第１絞り値から前記第１絞り値よりも大きい前記第２絞り値までの範囲で焦点状態を検出し、前記第２焦点検出エリアで焦点状態を検出するとき、前記第１絞り値から、前記第２絞り値よりも大きい第３絞り値までの範囲で焦点状態を検出するように構成することができる。
［８］上記焦点調節装置に係る発明において、前記第２絞り値または前記第３絞り値は、前記第１焦点検出エリアまたは前記第２焦点検出エリアの位置に基づいて設定されるように構成することができる。
［９］上記焦点調節装置に係る発明において、レンズ鏡筒から前記第１絞り値を受信する受信部を有するように構成することができる。
［１０］本発明の第２の観点に係る焦点調節装置は、複数の焦点検出エリアのうち第１焦点検出エリアで焦点状態を検出するとき、第１絞り値から前記第１絞り値よりも大きい第２絞り値の範囲で焦点状態を検出し、第２焦点検出エリアで焦点状態を検出するとき、前記第１絞り値から前記第２絞り値よりも大きい第３絞り値の範囲で焦点状態を検出することができる制御部を備え、前記制御部は、画像を撮影する際の撮影絞り値が前記第３絞り値よりも大きい場合、前記第１焦点検出エリアで焦点状態を検出するとき前記第１絞り値から前記第２絞り値の範囲で焦点状態を検出し、前記第２焦点検出エリアで焦点状態を検出するとき前記第１絞り値から前記第３絞り値の範囲で焦点状態を検出し、前記撮影絞り値が前記第１絞り値よりも小さい場合、前記第１焦点検出エリアで焦点状態を検出するとき、または、前記第２焦点検出エリアで焦点状態を検出するときに絞り値を前記撮影絞り値にすることを特徴とする。
［１１］本発明の第３の観点に係る焦点調節装置は、複数の焦点検出エリアのうち第１焦点検出エリアで焦点状態を検出するとき、第１絞り値から前記第１絞り値よりも大きい第２絞り値の範囲で焦点状態を検出し、第２焦点検出エリアで焦点状態を検出するとき、前記第１絞り値から前記第２絞り値よりも大きい第３絞り値の範囲で焦点状態を検出することができる制御部を備え、前記制御部は、画像を撮影する際の撮影絞り値が前記第１絞り値と前記第２絞り値との間の値である場合には、焦点検出を行う際における光学系の絞り値を、前記第１絞り値と前記撮影絞り値との間の範囲内にすることを特徴とする。
［１２］本発明の第１の観点に係る撮像装置は、上記焦点調節装置を有することを特徴とする。
［１３］上記撮像装置に係る発明において、複数の焦点検出用画素を有する撮像部を含むように構成することができる。
［１４］上記撮像装置に係る発明において、前記撮像部は、複数の撮像用画素を有するように構成することができる。
［１５］上記撮像装置に係る発明において、前記撮像部から出力された信号に基づいて位相差検出方式の焦点検出、または、コントラスト検出方式の焦点検出を行うことが可能である焦点検出部を有するように構成することができる。
［１６］本発明の第２の観点に係る撮像装置は、光学系による像を撮像し、撮像した像に対応する画像信号を出力する撮像部（２２）と、前記画像信号に基づいて、前記光学系の像面内に設定された複数の焦点検出位置における前記光学系の焦点状態を検出する焦点検出部（２１）と、前記焦点検出部により焦点検出を行う際における、焦点検出位置に対応した前記光学系の絞り値の絞り込み側の制限値を、絞り込み側制限値として算出する算出部（２１）と、前記焦点検出部により焦点検出を行う際に、焦点検出を行う前記焦点検出位置に対応した前記絞り込み側制限値に基づいて、前記光学系の絞り値を設定する制御部（２１）と、を備えることを特徴とする。
【手続補正３】
【補正対象書類名】明細書
【補正対象項目名】０００８
【補正方法】変更
【補正の内容】
【０００８】
［１７］本発明の第３の観点に係る撮像装置は、光学系による像を撮像し、撮像した像に対応する画像信号を出力する撮像部（２２）と、前記画像信号に基づいて、前記光学系の焦点状態を検出する焦点検出部（２１）と、前記焦点検出部により焦点検出を行う際における、前記光学系の射出瞳の位置に対応した前記光学系の絞り値の絞り込み側の制限値を、絞り込み側制限値として算出する算出部（２１）と、前記焦点検出部により焦点検出を行う際に、前記光学系の射出瞳の位置に対応した前記絞り込み側制限値に基づいて、前記光学系の絞り値を設定する制御部（２１）と、を備えることを特徴とする。
【手続補正４】
【補正対象書類名】明細書
【補正対象項目名】０００９
【補正方法】変更
【補正の内容】
【０００９】
［１８］上記撮像装置に係る発明において、前記算出部（２１）は、前記焦点検出部（２１）により焦点検出を行う際における、前記焦点検出位置および前記光学系の射出瞳の位置に対応した前記光学系の絞り値の絞り込み側の制限値を、絞り込み側制限値として算出し、前記制御部（２１）は、前記焦点検出部により焦点検出を行う際に、焦点検出を行う前記焦点検出位置および前記光学系の射出瞳の位置に対応した前記絞り込み側制限値に基づいて、前記光学系の絞り値を設定するように構成することができる。
【手続補正５】
【補正対象書類名】明細書
【補正対象項目名】００１０
【補正方法】変更
【補正の内容】
【００１０】
［１９］上記撮像装置に係る発明において、前記制御部（２１）は、前記焦点検出部（２１）により焦点検出を行う際に、前記光学系の絞り値を、前記絞り込み側制限値と同じ値、または、前記絞り込み側制限値よりも開放側の値に設定するように構成することができる。
【手続補正６】
【補正対象書類名】明細書
【補正対象項目名】００１１
【補正方法】変更
【補正の内容】
【００１１】
［２０］上記撮像装置に係る発明において、前記制御部（２１）は、前記焦点検出部（２１）により焦点検出を行う際における、前記光学系の絞り値を、画像を撮影する際の撮影絞り値または前記撮影絞り値よりも開放側の値に設定するように構成することができる。
【手続補正７】
【補正対象書類名】明細書
【補正対象項目名】００１２
【補正方法】変更
【補正の内容】
【００１２】
［２１］上記撮像装置に係る発明において、前記制御部（２１）は、前記焦点検出部（２１）により焦点検出を行う際における、前記光学系の絞り値を、前記光学系の開放絞り値よりも、絞り込み側の値に設定するように構成することができる。
【手続補正８】
【補正対象書類名】明細書
【補正対象項目名】００１３
【補正方法】変更
【補正の内容】
【００１３】
［２２］上記撮像装置に係る発明において、前記制御部（２１）は、画像を撮影する際の撮影絞り値が、前記絞り込み側制限値よりも絞り込み側の値である場合には、前記焦点検出部（２１）により焦点検出を行う際における、前記光学系の絞り値を、前記絞り込み側制限値に設定するように構成することができる。
【手続補正９】
【補正対象書類名】明細書
【補正対象項目名】００１４
【補正方法】変更
【補正の内容】
【００１４】
［２３］上記撮像装置に係る発明において、前記撮像部（２２）は、二次元状に配列された複数の撮像用画素（２２１）と、前記撮像用画素に混在して一次元または二次元状に配列された複数の焦点検出用画素（２２２ａ，２２２ｂ）とを有し、前記焦点検出部（２１）は、前記焦点検出用画素から出力された前記画像信号に基づいて、前記光学系による像面のずれ量を検出することで、前記光学系の焦点状態を検出する位相差検出方式の焦点検出、および、前記撮像用画素により出力された前記画像信号に基づいて、前記光学系による像のコントラストに関する評価値を算出し、算出した前記評価値に基づいて、前記光学系の焦点状態を検出するコントラスト検出方式の焦点検出のうち、少なくともいずれか一方の方式で焦点検出を行うことが可能であるように構成することができる。
【手続補正１０】
【補正対象書類名】明細書
【補正対象項目名】００１５
【補正方法】変更
【補正の内容】
【００１５】
［２４］上記撮像装置に係る発明において、前記焦点検出部（２１）により焦点検出を行う際における前記光学系の絞り値の開放側の制限値である開放側制限値を、レンズ鏡筒（３）から取得する取得部（２１）をさらに備え、前記制御部（２１）は、前記焦点検出部により焦点検出を行う際に、前記光学系の絞り値を、前記開放側制限値と、前記絞り込み側制限値との範囲内で設定するように構成することができる。
【手続補正１１】
【補正対象書類名】明細書
【補正対象項目名】００１６
【補正方法】変更
【補正の内容】
【００１６】
［２５］上記撮像装置に係る発明において、前記制御部（２１）は、画像を撮影する際の撮影絞り値が、前記開放側制限値よりも開放側の値である場合には、前記焦点検出部（２１）により焦点検出を行う際における、前記光学系の絞り値を、前記撮影絞り値に設定するように構成することができる。
【手続補正１２】
【補正対象書類名】明細書
【補正対象項目名】００１７
【補正方法】変更
【補正の内容】
【００１７】
［２６］上記撮像装置に係る発明において、前記制御部（２１）は、画像を撮影する際の撮影絞り値が、前記絞り込み側制限値よりも絞り込み側の値である場合には、前記焦点検出部（２１）により焦点検出を行う際における、前記光学系の絞り値を、前記開放側制限値と前記絞り込み側制限値との範囲内において設定し、前記撮影絞り値が、前記絞り込み側制限値と同じ値または前記絞り込み側制限値よりも開放側の値である場合には、前記焦点検出部により焦点検出を行う際における、前記光学系の絞り値を、前記開放側制限値と前記撮影絞り値との範囲内において設定するように構成することができる。